(57)【要約】【課題】ディスクに照射されるレーザ光と光検出器に導かれるレーザ光の光量比を高く維持しながら、コストの低減および構成の簡素化を円滑に図り得る光ピックアップ装置を提供する。【解決手段】第１および第２の対物レンズ１７、１９にレーザ光を導く手段として、１／４波長板１６と偏光ビームスプリッタ１６を用いる。偏光ビームスプリッタ１６によって入射されたレーザ光のうち、半分はＳ偏光成分として偏光ビームスプリッタ１６により反射されて第１の対物レンズ１７に導かれ、残り半分はＰ偏光成分として偏光ビームスプリッタ１６を透過し第２の対物レンズ１９に導かれる。第１および第２の対物レンズを経由したディスクからの反射光は、略全光量が偏光ビームスプリッタ１６を通過する。よって、光検出器２０に導かれるレーザ光の光量を高めることができる。【選択図】図１
2008269735.tif 000002
【特許請求の範囲】
【請求項１】
所定波長のレーザ光を出射するレーザ光源と、
前記レーザ光を収束させる第１および第２の対物レンズと、
前記レーザ光源からのレーザ光を前記第１および第２の対物レンズに振り分ける偏光ビームスプリッタと、
前記レーザ光源と前記偏光ビームスプリッタの間に配され前記レーザ光を円偏光にて前記ビームスプリッタに入射させる１／４波長板と、
を有することを特徴とする光ピックアップ装置。
【請求項２】
請求項１において、
前記レーザ光源と前記１／４波長板の間の前記レーザ光の拡散光路中に前記レーザ光の光軸に傾く状態で配置された平板状の無偏光ミラーを備え、
前記レーザ光源から出射された前記レーザ光の一部が前記無偏光ミラーによって前記１／４波長板の方向に反射され、前記１／４波長板から前記無偏光ミラーに向かう前記レーザ光の一部が前記無偏光ミラーを透過して前記光検出器に入射する、
ことを特徴とする光ピックアップ装置。
【請求項３】
所定波長のレーザ光を出射するレーザ光源と、
前記レーザ光を収束させる第１および第２の対物レンズと、
前記レーザ光源からのレーザ光を前記第１および第２の対物レンズに振り分ける偏光ビームスプリッタと、
前記レーザ光源と前記偏光ビームスプリッタの間に配され前記レーザ光を前記偏光ビームスプリッタの偏光軸に対し所定の角度だけ傾斜した直線偏光にて前記ビームスプリッタに入射させる１／２波長板と、
を有することを特徴とする光ピックアップ装置。
【請求項４】
請求項３において、
前記レーザ光源と前記１／２波長板の間の前記レーザ光の拡散光路中に前記レーザ光の光軸に傾く状態で配置された平板状の無偏光ミラーを備え、
前記レーザ光源から出射された前記レーザ光の一部が前記無偏光ミラーによって前記１／２波長板の方向に反射され、前記１／２波長板から前記無偏光ミラーに向かう前記レーザ光の一部が前記無偏光ミラーを透過して前記光検出器に入射する、
ことを特徴とする光ピックアップ装置。
【請求項５】
所定波長のレーザ光を出射するレーザ光源と、
前記レーザ光を収束させる第１および第２の対物レンズと、
前記レーザ光源からのレーザ光を前記第１および第２の対物レンズに振り分ける偏光ビームスプリッタとを備え、
前記レーザ光源から出射された前記レーザ光が前記偏光ビームスプリッタの偏光軸に対し所定の角度だけ傾斜した直線偏光にて入射するよう、前記レーザ光源の配置されている、
ことを特徴とする光ピックアップ装置。
【請求項６】
請求項５において、
前記レーザ光源と前記偏光ビームスプリッタの間の前記レーザ光の拡散光路中に前記レーザ光の光軸に傾く状態で配置された平板状の無偏光ミラーを備え、
前記レーザ光源から出射された前記レーザ光の一部が前記無偏光ミラーによって前記偏光ビームスプリッタの方向に反射され、前記偏光ビームスプリッタから前記無偏光ミラーに向かう前記レーザ光の一部が前記無偏光ミラーを透過して前記光検出器に入射する、
ことを特徴とする光ピックアップ装置。
【発明の詳細な説明】
【技術分野】
【０００１】
本発明は、光ピックアップ装置に関し、特に、複数の対物レンズにて異種のディスクにレーザ光を照射する際に用いて好適なものである。
【背景技術】
【０００２】
ディスクの多様化に伴い、異種のディスクにレーザ光を照射する互換型の光ピックアップ装置が開発されている。かかる光ピックアップ装置のうち、ブルーレイディスク（以下、「ＢＤ」という）とＨＤ ＤＶＤ（High-Definition Digital Versatile Disc、以下、「ＨＤ」という）に対応する光ピックアップ装置では、これらディスクのカバー厚および対物レンズのＮＡ（開口数）が相違するため、各ディスクに対応する２つの対物レンズが搭載されている。この場合、使用レーザ光の波長帯が同じであるため、コストないし構成の簡素化の面からは、一つの半導体レーザを光源として共用するのが望ましい。
【０００３】
以下の特許文献１には、一つの光源から出射されたレーザ光を２つの対物レンズに振り分けるタイプの光ピックアップ装置が記載されている。ここでは、レーザ光を２つの対物レンズに振り分けるために、液晶セルと偏光ビームスプリッタが用いられている。すなわち、液晶セルによって、レーザ光の偏光方向が偏光ビームスプリッタに対しＰ偏光とＳ偏光の何れかに変化される。Ｐ偏光となった場合、レーザ光は偏光ビームスプリッタを透過して第１の対物レンズに導かれ、Ｓ偏光となった場合、レーザ光は偏光ビームスプリッタによって反射されてレーザ光が第１の対物レンズに導かれる。この他、１／２波長板を偏光ビームスプリッタの前段に配置し、これを光路中に挿脱することにより、レーザ光を２つの対物レンズに振り分ける構成も知られている。
【０００４】
しかし、これらの先行技術のうち、液晶セルを用いるものでは、液晶セルのコストによって光ピックアップ装置のコストが上昇し、また、液晶セルの駆動手段が必要となる分だけ、光ピックアップ装置の構成および制御が複雑化するとの問題が生じる。また、１／２波長板を挿脱させるものにおいても、１／２波長板を駆動する構成が必要となり、その分、光ピックアップ装置の構成および制御が複雑化するとの問題が生じる。
【０００５】
互換型の光ピックアップ装置を記録用に用いる場合には、ディスク照射時のレーザ光強度を確保するために、半導体レーザからのレーザ光を対応する対物レンズに振り分ける必要があるが、再生用に用いる場合には、ディスク照射時のレーザ光強度が再生可能な程度のもので足りるため、レーザ光を各対物レンズに振り分けずに、両方の対物レンズに同時に照射する構成とすることもできる。しかし、この場合も、再生信号やフォーカスエラー信号およびトラッキングエラー信号におけるＳ／Ｎを確保する観点から、ディスクに照射されるレーザ光と光検出器に導かれるレーザ光の光量比を一定値以上に維持する必要がある。
【０００６】
図７は、１つの対物レンズを搭載する光ピックアップ装置の構成例を示す図である。半導体レーザ３１から出射されたレーザ光は、回折格子３２によって３ビームとされた後、無偏光ミラー３３で分光され、９０％がコリメータレンズ３４側に反射される。その後、レーザ光は、コリメータレンズ３４にて平行光とされ、さらに、反射ミラー３５で反射されて対物レンズ３６に入射し、ディスク上に集光される。ディスクによって反射されたレーザ光は、反射ミラー３５にて反射され、コリメータレンズ３４により収束光とされる。その後、無偏光ミラー３３で分光され、半導体レーザ３１出射時の光量の９％のレーザ光が光検出器３７に集光される。
【０００７】
この構成例では、ディスクに照射されるレーザ光と光検出器３７に導かれるレーザ光の光量比は、１０：１である（ただし、各光学部品、ディスクの透過率／反射率は含まれていない）。
【０００８】
図８は、２つの対物レンズを搭載する光ピックアップ装置の構成例を示す図である。この構成例では、レーザ光を２つの対物レンズ４２、４４に分光する手段として、ハーフミラープリズム４１が使用されている。半導体レーザ３１から出射されたレーザ光は、回折格子３２によって３ビームとされた後、無偏光ミラー３３で分光され、９０％がコリメータレンズ３４側に反射される。その後、レーザ光は、コリメータレンズ３４にて平行光とされ、さらに、ハーフミラープリズム４１で半分が反射され、第１の対物レンズ４２を介して、ディスク上に集光される。一方、ハーフミラープリズムを透過したレーザ光は、反射ミラー４３で反射され、第２の対物レンズ４４を介して、ディスク上に集光される。この場合、第１および第２の対物レンズ４２、４４を介してディスクに照射されるレーザ光の光量は、半導体レーザ３１から出射された際のレーザ光の光量の４５％である。
【０００９】
ディスクにより反射されたレーザ光は、反射ミラー４３およびハーフミラープリズム４１にて反射される。このとき、レーザ光は、ハーフミラープリズム４１によって光量が半分に減少する。その後、コリメータレンズ３４により収束光とされ、さらに、無偏光ミラー３３で分光される。その結果、光検出器３７には、半導体レーザ３１出射時の光量の２．２５％のレーザ光が集光される。
【００１０】
この構成例では、ディスクに照射されるレーザ光と光検出器３７に導かれるレーザ光の光量比は、２０：１となる（ただし、各光学部品、ディスクの透過率／反射率は含まれていない）。
【００１１】
このように、２つの対物レンズへの分光手段としてハーフミラープリズム４１を用いると、往路と復路でそれぞれ５０％が減光されるため、ディスクに照射されるレーザ光と光検出器３７に導かれるレーザ光の光量比が従来の半分（２０：１）に低下してしまう。このため、光検出器３７から出力される信号のＳ／Ｎを再生に十分なものとすることができない。
【特許文献１】特開平１１−１２０６０６号公報
【発明の開示】
【発明が解決しようとする課題】
【００１２】
本発明は、ディスクに照射されるレーザ光と光検出器に導かれるレーザ光の光量比を高く維持しながら、コストの低減および構成の簡素化を円滑に図り得る光ピックアップ装置を提供することを課題とする。
【課題を解決するための手段】
【００１３】
第１の発明に係る光ピックアップ装置は、所定波長のレーザ光を出射するレーザ光源と、前記レーザ光を収束させる第１および第２の対物レンズと、前記レーザ光源からのレーザ光を前記第１および第２の対物レンズに振り分ける偏光ビームスプリッタと、前記レーザ光源と前記偏光ビームスプリッタの間に配され前記レーザ光を円偏光にて前記ビームスプリッタに入射させる１／４波長板とを有することを特徴とする。
【００１４】
この発明によれば、第１および第２の対物レンズにレーザ光を導くための手段として偏光ビームスプリッタと安価な１／４波長板が用いられるため、光ピックアップ装置のコストを抑制することができる。また、上記従来技術の如く、液晶セルを駆動し、あるいは、１／２波長板を挿脱するための構成が不要であるから、構成ないし制御の複雑化を抑制することができる。さらに、本発明によれば、第１および第２の対物レンズを経由したディスクからの反射光の略全光量が偏光ビームスプリッタを通過するため、光検出器に導かれるレーザ光の光量を高めることができ、光検出器から出力される信号のＳ／Ｎを適正レベルのものとすることができる。
【００１５】
ここで、第１の発明は、前記レーザ光源と前記１／４波長板の間の前記レーザ光の拡散光路中に前記レーザ光の光軸に傾く状態で配置された平板状の無偏光ミラーを備え、前記レーザ光源から出射された前記レーザ光の一部が前記無偏光ミラーによって前記１／４波長板の方向に反射され、前記１／４波長板から前記無偏光ミラーに向かう前記レーザ光の一部が前記無偏光ミラーを透過して前記光検出器に入射するよう構成することができる。
【００１６】
こうすると、ディスクからの反射光が無偏光ミラーを透過する際に非点収差が導入されるため、別途、非点収差導入用のレンズ素子を配する必要がなく、部品点数の削減とコストの抑制を図ることができる。
【００１７】
第２の発明に係る光ピックアップ装置は、所定波長のレーザ光を出射するレーザ光源と、前記レーザ光を収束させる第１および第２の対物レンズと、前記レーザ光源からのレーザ光を前記第１および第２の対物レンズに振り分ける偏光ビームスプリッタと、前記レーザ光源と前記偏光ビームスプリッタの間に配され前記レーザ光を前記偏光ビームスプリッタの偏光軸に対し所定の角度だけ傾斜した直線偏光にて前記ビームスプリッタに入射させる１／２波長板とを有することを特徴とする。
【００１８】
この発明によれば、第１および第２の対物レンズにレーザ光を導くための手段として偏光ビームスプリッタと安価な１／２波長板が用いられるため、光ピックアップ装置のコストを抑制することができる。また、上記従来技術の如く、液晶セルを駆動し、あるいは、１／２波長板を挿脱するための構成が不要であるから、構成ないし制御の複雑化を抑制することができる。さらに、本発明によれば、第１および第２の対物レンズを経由したディスクからの反射光の略全光量が偏光ビームスプリッタを通過するため、光検出器に導かれるレーザ光の光量を高めることができる。
【００１９】
第３の発明に係る光ピックアップ装置は、所定波長のレーザ光を出射するレーザ光源と、前記レーザ光を収束させる第１および第２の対物レンズと、前記レーザ光源からのレーザ光を前記第１および第２の対物レンズに振り分ける偏光ビームスプリッタとを備え、前記レーザ光源から出射された前記レーザ光が前記偏光ビームスプリッタの偏光軸に対し所定の角度だけ傾斜した直線偏光にて入射するよう、前記レーザ光源の配置されていることを特徴とする。
【００２０】
この発明によれば、第１および第２の対物レンズにレーザ光を導くための手段として偏光ビームスプリッタのみが用いられるため、光ピックアップ装置のコストをさらに抑制することができる。また、上記第１および第２の発明に比べ、１／４波長板または１／２波長板が削減されるため、さらなる構成の簡素化を図ることができる。さらに、本発明によれば、上記第１および第２の発明と同様、第１および第２の対物レンズを経由したディスクからの反射光の略全光量が偏光ビームスプリッタを通過するため、光検出器に導かれるレーザ光の光量を高めることができる。
【００２１】
なお、第２および第３の発明においても、上記第１の発明と同様、平板上の無偏光ミラーをレーザ光の収束光路中にレーザ光の光軸に傾く状態で配置してディスクからの反射光を光検出器に導くよう構成することができる。こうすると、上述の如く、ディスクからの反射光が無偏光ミラーを透過する際に非点収差が導入されるため、別途、非点収差導入用のレンズ素子を配する必要がなく、部品点数の削減とコストの抑制を図ることができる。
【発明の効果】
【００２２】
以上の如く本発明によれば、ディスクに照射されるレーザ光と光検出器に導かれるレーザ光の光量比を高く維持しながら、コストの低減および構成の簡素化を円滑に図り得る光ピックアップ装置を提供することができる。
【００２３】
本発明の効果ないし意義は、以下に示す実施の形態の説明により更に明らかとなろう。ただし、以下の実施の形態は、あくまでも、本発明を実施化する際の一つの例示であって、本発明は、以下の実施の形態に記載されたものに何ら制限されるものではない。
【発明を実施するための最良の形態】
【００２４】
以下、本発明の実施の形態につき図面を参照して説明する。本実施の形態は、ＢＤとＨＤに対応可能な光ピックアップ装置に本発明を適用したものである。
【００２５】
図１に、実施の形態に係る光ピックアップ装置の構成（光学系）を示す。図において、１１は、波長４０５ｎｍ程度の青色レーザ光を出射する半導体レーザ（レーザ光源）、１２は、半導体レーザ１１からのレーザ光を３ビームに分割する回折格子、１３は、入射レーザ光の９０％を反射し１０％を透過する平行平板状の無偏光ミラーである。無偏光ミラー１３は入射レーザ光の光軸に対し所定の角度（たとえば４５°）だけ傾くよう配置されている。
【００２６】
１４は、無偏光ミラー１３によって反射されたレーザ光を平行光に変換するコリメータレンズ、１５は、コリメータレンズ１４を透過したレーザ光を円偏光に変換する１／４波長板、１６は偏光ビームスプリッタである。
【００２７】
１７は、偏光ビームスプリッタ１６によって反射されたレーザ光（Ｓ偏光）をＨＤ上に収束させる第１の対物レンズ、１８は、偏光ビームスプリッタ１６を透過したレーザ光（Ｐ偏光）を反射する反射ミラー、１９は、反射ミラー１８によって反射されたレーザ光（Ｐ偏光）をＢＤ上に収束させる第２の対物レンズ、２０はＨＤ、ＢＤからの反射光を受光した各種信号を生成するための光検出器である。
【００２８】
ここで、第１の対物レンズ１７と第２の対物レンズ１９は、それぞれ、ＨＤおよびＢＤ上にレーザ光を適正に収束できるよう設計されている。また、これら第１および第２の対物レンズ１７、１９は、対物レンズアクチュエータ（図示せず）によって、フォーカスおよびトラッキング方向に一体的に駆動される。
【００２９】
半導体レーザ１１から出射されたレーザ光は、回折格子１２によって３ビームとされた後、無偏光ミラー１３で分光され、９０％がコリメータレンズ１４側に反射される。その後、レーザ光は、コリメータレンズ１４にて平行光とされ、さらに、１／４波長板１５によって円偏光に変換されて偏光ビームスプリッタ１６に入射する。
【００３０】
このようにして偏光ビームスプリッタ１６によって入射されたレーザ光のうち、半分はＳ偏光成分として偏光ビームスプリッタ１６により反射され、残り半分はＰ偏光成分として偏光ビームスプリッタ１６を透過する。このうち、Ｓ偏光成分のレーザ光（以下、「第１のレーザ光」という）は、第１の対物レンズ１７を介して、ディスク上に集光され、Ｐ偏光成分のレーザ光（以下、「第２のレーザ光」という）は、反射ミラー１８で反射された後、第２の対物レンズ１９を介して、ディスク上に集光される。したがって、第１および第２の対物レンズ１７、１９を介してディスクに照射されるレーザ光の光量は、半導体レーザ１１から出射された際のレーザ光の光量の４５％となる。
【００３１】
ディスクにより反射された第１のレーザ光は、Ｓ偏光の状態で偏光ビームスプリッタ１６に入射するため、略１００％が偏光ビームスプリッタ１６によって反射される。また、ディスクにより反射された第２のレーザ光も、Ｐ偏光の状態で偏光ビームスプリッタ１６に入射するため、略１００％が偏光ビームスプリッタ１６を透過する。
【００３２】
その後、第１および第２のレーザ光は、コリメータレンズ１４により収束光とされ、さらに、無偏光ミラー１３で分光される。その結果、光検出器２０に導かれる第１および第２のレーザ光の光量は、半導体レーザ１１出射時の光量の４．５％となる。
【００３３】
なお、第１および第２のレーザ光は、無偏光ミラー１３に収束光にて入射するため、無偏光ミラー１３によって非点収差が導入される。本実施の形態では、非点収差法によりフォーカスエラー信号が生成される。光検出器２０には、非点収差法に基づく４分割センサが配されている。
【００３４】
本実施の形態では、ディスクに照射されるレーザ光と光検出器２０に導かれる第１および第２のレーザ光の光量比は、１０：１となる（ただし、各光学部品、ディスクの透過率／反射率は含まれていない）。よって、光検出器２０から出力される信号のＳ／Ｎを再生に十分なものとすることができる。
【００３５】
なお、本実施の形態では、第１および第２の対物レンズ１７、１９を経由したレーザ光が同時にディスクに照射されるが、ＨＤとＢＤのカバー厚の相違から、たとえば第１のレーザ光を用いてＨＤを再生している際には第２のレーザ光はＨＤ上に適正に収束されず、また、第２のレーザ光を用いてＢＤを再生している際には第１のレーザ光はＢＤ上に適正に収束されないため、共通のセンサーパターン（光検出器２０）で第１および第２のレーザ光を受光しても再生信号等に問題が生じることはない。
【００３６】
すなわち、図２（ａ）に示す如く、第１のレーザ光を用いてＨＤを再生している際には、ＨＤによって反射された第２のレーザ光（フレア光）は、光検出器２０上において収束せず、また、図２（ｂ）に示す如く、第２のレーザ光を用いてＢＤを再生している際には、ＢＤによって反射された第１のレーザ光（フレア光）は、光検出器２０上において収束しない。この場合、光検出器２０から出力される信号にフレア光によるＤＣ成分が重畳されるが、このＤＣ成分は、適宜、再生回路側においてキャンセルされる。
【００３７】
また、対象ディスクに対するフォーカス引き込み時も、図３に模式的に示す如く、第１および第２のレーザ光のうち再生に用いない方のレーザ光によっては適正にＳ字カーブが生じないため、このＳ字カーブに基づいてフォーカス引き込みがなされる惧れはない。なお、図３中、ＦＥｓｈは、引き込み対象のＳ字カーブを識別するために設定された閾値レベルである。
【００３８】
なお、本実施の形態では、ＢＤとＨＤのトラックピッチが相違するため、回折格子１２の回折パターンには、インライン方式の回折パターンが適用される。これにより、再生対象ディスクがＢＤ、ＨＤの何れであるかに拘わらず共通の受光面にて各ディスクからの反射光を受光できる。なお、インライン方式によるＤＰＰ法は従来周知であるため、ここでは説明を省略する。
【００３９】
図４は、ＤＰＰ法を用いる場合の信号演算回路の構成を示す。図示の如く、信号演算回路は、加算回路１０１〜１０４と、減算回路１０５〜１０７と、加算回路１１１〜１１６と、減算回路１１７、１１９と、定倍回路１１８から構成されている。なお、光検出器２０は、メインビーム受光用の４分割センサＡ〜Ｄと、サブビーム受光用の４分割センサＥ〜Ｇ、Ｉ〜Ｌからなっている。
【００４０】
４分割センサＡ〜Ｌから出力される信号をＡ〜Ｌとすると、トラッキングエラー信号（ＴＥ）は、ＴＥ＝（Ａ＋Ｂ）−（Ｃ＋Ｄ）−α{(Ｅ＋Ｉ＋Ｆ＋Ｊ)−（Ｇ＋Ｋ＋Ｈ＋Ｌ）}の演算より生成される。フォーカスエラー信号（ＦＥ）と再生信号（ＲＦ）は、それぞれ、ＦＥ＝（Ａ＋Ｃ）−（Ｂ＋Ｄ）、ＲＦ＝Ａ＋Ｂ＋Ｃ＋Ｄの演算により生成される。
【００４１】
なお、１ビームプッシュプル法にてトラッキングエラー信号を生成することもできる。この場合、４分割センサＥ〜Ｌは省略され、信号演算回路も、１ビームプッシュプル法に応じて変更される。
【００４２】
以上、本実施の形態によれば、第１および第２の対物レンズ１７、１９にレーザ光を導くための手段として偏光ビームスプリッタ１６と安価な１／４波長板２１が用いられるため、光ピックアップ装置のコストを抑制することができる。また、液晶セルを駆動するための構成や、１／２波長板を挿脱するための構成が不要であるから、構成ないし制御の複雑化を抑制することができる。
【００４３】
さらに、本実施の形態によれば、ディスクによって反射された第１および第２のレーザ光の略全光量が偏光ビームスプリッタ１６を通過するため、光検出器２０に導かれるレーザ光の光量を高めることができ、上記の如く、ディスクに照射されるレーザ光と光検出器２０に導かれる第１および第２のレーザ光の光量比を、１０：１とすることができる。よって、光検出器２０から出力される信号のＳ／Ｎを適正レベルのものとすることができる。
【００４４】
加えて、本実施の形態によれば、ディスクからの反射光が無偏光ミラー１３を透過する際に非点収差が導入されるため、フォーカスエラー検出のために、別途、非点収差導入用のレンズ素子を配する必要がなく、部品点数の削減とコストの抑制を図ることができる。
【００４５】
ところで、上記実施の形態では、１／４波長板１５によりレーザ光を円偏光にして偏光ビームスプリッタ１６に入射させるようにしたが、偏光ビームスプリッタ１６の偏光軸に対し傾斜するようレーザ光の偏光方向を調節することによっても、上記実施の形態と同様の効果が奏される。
【００４６】
図５は、この場合の構成例を示す図である。この構成例では、上記１／４波長板１５が１／２波長板２１に置き換えられている。ここで、１／２波長板２１は、たとえば、同図中に示す如く、偏光ビームスプリッタ１６に対するレーザ光の偏光方向がＰ偏光とＳ偏光に対して４５°の方向となるように配置される。この場合、偏光ビームスプリッタ１６に入射したレーザ光は、その半分（Ｓ偏光）が偏光ビームスプリッタ１６により反射され、残り半分（Ｐ偏光）が偏光ビームスプリッタ１６を透過する。偏光ビームスプリッタ１６に対するレーザ光の偏光方向を調節することにより、第１および第２の対物レンズ１７、１９に導かれるレーザ光の光量比を１：１から変化させることができる。
【００４７】
図６は、さらに他の構成例を示す図である。この構成例では、上記１／４波長板１５が削除され、たとえば、同図中に示す如く、偏光ビームスプリッタ１６に対するレーザ光の偏光方向がＰ偏光とＳ偏光に対して４５°の方向となるよう、半導体レーザ１１の配置が調節されている。この場合も、偏光ビームスプリッタ１６に入射したレーザ光は、その半分（Ｓ偏光）が偏光ビームスプリッタ１６により反射され、残り半分（Ｐ偏光）が偏光ビームスプリッタ１６を透過する。また、光軸を軸とする半導体レーザ１１の回転位置を調節し、これにより、偏光ビームスプリッタ１６に対するレーザ光の偏光方向を調節することにより、第１および第２の対物レンズ１７、１９に導かれるレーザ光の光量比を１：１から変化させることができる。
【００４８】
この構成例によれば、上記実施の形態および図５の構成例に比べ、１／４波長板１５および１／２波長板２１を削減できるため、さらなる構成の簡素化を図ることができる。
【００４９】
本発明は、上記実施の形態に制限されるものではなく、また、本発明の実施形態も上記以外に種々の変更が可能である。たとえば、上記実施の形態では、無偏光ミラー１３の分光比を９：１としたが、これ以外の分光比とすることもできる。この他、本発明の実施の形態は、特許請求の範囲に示された技術的思想の範囲内において、適宜、種々の変更が可能である。
【図面の簡単な説明】
【００５０】
【図１】実施の形態に係る光ピックアップ装置の構成（光学系）を示す図
【図２】実施の形態に係る光検出器に対するレーザ光の照射状態を示す図
【図３】実施の形態に係るフォーカスエラー信号の状態を示す図
【図４】実施の形態に係る信号演算回路の構成例を示す図
【図５】実施の形態に係る光ピックアップ装置の他の構成例を示す図
【図６】実施の形態に係る光ピックアップ装置のさらに他の構成を示す図
【図７】本発明の課題を説明する図
【図８】本発明の課題を説明する図
【符号の説明】
【００５１】
１１  半導体レーザ
１０  無偏光ミラー
１５  １／４波長板
１６  偏光ビームスプリッタ
１７  第１の対物レンズ（ＨＤ用）
１９  第２の対物レンズ（ＢＤ用）
２０  光検出器
２１  １／２波長板
【図１】
2008269735.tif 000003
【図２】
2008269735.tif 000004
【図３】
2008269735.tif 000005
【図４】
2008269735.tif 000006
【図５】
2008269735.tif 000007
【図６】
2008269735.tif 000008
【図７】
2008269735.tif 000009
【図８】
2008269735.tif 000010